(57)【要約】【課題】液晶パネルが湾曲された液晶表示装置において、別の問題を可及的に生じることなく、表示ムラを抑制することが可能な技術を提供することを目的とする。【解決手段】液晶表示装置は、可撓性を有する液晶パネル１１と、液晶パネル１１の後面及び前面をそれぞれ挟み込む透明な後面湾曲保護板１２及び前面湾曲保護板１３と、後面偏光板１４及び前面偏光板１５とを備える。後面偏光板１４及び前面偏光板１５の少なくともいずれか一方は、液晶パネル１１に貼り付けられずに後面湾曲保護板１２及び前面湾曲保護板１３のうち隣接する一方に貼り付けられている。【選択図】図１
2015007699.tif 000002
【特許請求の範囲】
【請求項１】
第１基板と、前記第１基板と対向配置された第２基板と、前記第１及び第２基板によって挟持された液晶層とを備える、可撓性を有する液晶パネルと、
予め独立状態で湾曲形状を保持するように加工された、前記液晶パネルの後面及び前面をそれぞれ挟み込む透明な第１及び第２湾曲保護板と、
前記液晶パネルの前記後面側に配設された、偏光板を含む第１光学フィルムと、
前記液晶パネルの前記前面側に配設された、偏光板を含む第２光学フィルムと
を備え、
前記第１及び第２光学フィルムの少なくともいずれか一方は、前記液晶パネルに貼り付けられずに前記第１及び第２湾曲保護板のうち隣接する一方に貼り付けられている、液晶表示装置。
【請求項２】
請求項１に記載の液晶表示装置であって、
前記液晶パネルの前記前面と、前記第２湾曲保護板との界面に形成された、空気層よりも屈折率が大きい媒体
をさらに備える、液晶表示装置。
【請求項３】
請求項１または請求項２に記載の液晶表示装置であって、
前記第２光学フィルムは、前記第２湾曲保護板の前記液晶パネルと逆側の面に貼り付けられている、液晶表示装置。
【請求項４】
請求項１に記載の液晶表示装置であって、
前記第１光学フィルムは、前記第１湾曲保護板の前記液晶パネル側の面に貼り付けられ、
前記第２光学フィルムは、前記第２湾曲保護板の前記液晶パネル側の面に貼り付けられている、液晶表示装置。
【請求項５】
請求項１に記載の液晶表示装置であって、
前記第２光学フィルムは、前記第２湾曲保護板に貼り付けられ、
前記第１光学フィルムの代わりに、前記液晶パネルの前記後面に貼り付けられた、偏光板を含む第３光学フィルムを備える、液晶表示装置。
【請求項６】
請求項１に記載の液晶表示装置であって、
前記第１光学フィルムは、前記第１湾曲保護板に貼り付けられ、
前記第２光学フィルムの代わりに、前記液晶パネルの前記前面に貼り付けられた、偏光板を含む第３光学フィルムを備える、液晶表示装置。
【請求項７】
請求項１乃至請求項６のいずれかに記載の液晶表示装置であって、
前記第１及び第２基板はガラス基板、または、樹脂基板を含む、液晶表示装置。
【請求項８】
請求項１乃至請求項７のいずれかに記載の液晶表示装置であって、
前記第１及び第２湾曲保護板の材質はガラス、または、樹脂である、液晶表示装置。
【請求項９】
請求項１乃至請求項８のいずれかに記載の液晶表示装置であって、
前記第１湾曲保護板に関して前記液晶パネルと逆側に配設されたバックライトユニットと、
前記第２湾曲保護板の前記液晶パネルと逆側の面を覆わずに、前記バックライトユニットと、前記第１及び第２湾曲保護板とを収納するフレームと
を備える、液晶表示装置。
【請求項１０】
（ａ）第１基板と、前記第１基板と対向配置された第２基板と、前記第１及び第２基板によって挟持された液晶層とを備える、可撓性を有する液晶パネルを形成する工程と、
（ｂ）予め独立状態で湾曲形状を保持するように加工された、前記液晶パネルの後面及び前面をそれぞれ挟み込むための第１及び第２湾曲保護板を準備する工程と、
（ｃ）前記液晶パネルの前記後面側に配設された、偏光板を含む第１光学フィルム、及び、前記液晶パネルの前記前面側に配設された、偏光板を含む第２光学フィルムの少なくともいずれか一方を、前記液晶パネルに貼り付けずに前記第１及び第２湾曲保護板のうち隣接する一方に貼り付ける工程と、
（ｄ）前記液晶パネルの後面及び前面を前記第１及び第２湾曲保護板でそれぞれ挟み込む工程と
を備える、液晶表示装置の製造方法。
【請求項１１】
請求項１０に記載の液晶表示装置の製造方法であって、
前記工程（ｃ）において、前記第１光学フィルムを前記液晶パネルに貼り付けずに前記第１湾曲保護板の前記液晶パネル側の面に貼り付けるとともに、前記第２光学フィルムを前記液晶パネルに貼り付けずに前記第２湾曲保護板の前記液晶パネル側の面に貼り付け、
（ｅ）前記工程（ｃ）と前記工程（ｄ）との間において、前記液晶パネルの前記前面と、前記第２光学フィルムとの界面に、空気層よりも屈折率が大きい媒体を埋める工程
をさらに備える、液晶表示装置の製造方法。
【発明の詳細な説明】
【技術分野】
【０００１】
本発明は、液晶表示装置及びその製造方法に関し、特に液晶パネルが湾曲された液晶表示装置及びその製造方法に関するものである。
【背景技術】
【０００２】
液晶表示装置は、軽量、薄型、及び低消費電力の特徴を有しており、パーソナルコンピュータや携帯情報機器などの表示装置としてよく使用されている。
【０００３】
液晶表示装置は、画素電極を有するアレイ基板と、共通電極を有するカラーフィルタ基板とを互いに貼り合わせ、それら基板の間（一対の基板間）に液晶層を挟持して成る液晶パネルを備える。この構成において、画素単位で、画素電極及び共通電極の間に電圧を印加して液晶層の液晶の分子配向を変化させることにより、液晶パネルを通過する光の透過率を制御する。これにより、液晶表示装置では、所望の画像などを表示することが可能となっている。
【０００４】
近年、これまで平板状であった液晶パネルを任意の曲率で湾曲させた液晶表示装置が、デザイン面から要求されている。このような要求に対し、可撓性を有する液晶パネルを形成し、当該液晶パネルを湾曲形状に変形させた状態で固定する技術が様々に提案されている。例えば、特許文献１には、剛性が高い筐体に設けた湾曲形状の溝に、液晶パネルを嵌合させて湾曲形状に保持した液晶表示装置が提案されている。
【０００５】
液晶パネルが湾曲された液晶表示装置においては、液晶パネルの四隅周辺などに表示ムラが発生する。そこで、表示ムラが発生するという課題を解決するための技術が様々に提案されている。例えば、特許文献２には、アレイ基板等のパネル基板と、偏光板等の板状体とを接合する接合部において、面内方向より垂直方向の接着力が強い構造にする（好ましくは接合部を液状物質とする）ことによって、上記表示ムラや画像の歪みを抑制する技術が提案されている。また、例えば、特許文献３には、液晶パネルのシール材の平面視での角部の形状を、表示領域から外側に突出させた形状とすることで、液晶パネルの角部分での応力集中を低減し、ひいては表示ムラを軽減する技術が提案されている。
【先行技術文献】
【特許文献】
【０００６】
【特許文献１】特開平１１−３８３９５号公報
【特許文献２】特開２０１１−１６４５０３号公報
【特許文献３】特開２０１０−２１７２３４号公報
【発明の概要】
【発明が解決しようとする課題】
【０００７】
しかしながら、特許文献２の技術では、画像の歪みを抑制する効果を高めるために、上記接合部における面内方向の接着力を、垂直方向よりも十分に小さくした場合には、接合体自体が、パネル基板と板状体との間の適した位置に留まることができなくなったり、板状体が面内方向の適した範囲からはみ出たりするという問題が生じる。一方、接合部の面内方向の接着力を大きくしたり、部分的に板状体をパネル基板に固定したりする方策も考えられるが、その場合には、表示ムラや画像の歪みを抑制する効果を十分に得ることができなくなってしまう。また、特許文献３の技術では、シール材の角部の形状を外側に突出させることから、額縁部分が大きくなるという別の問題が生じてしまう。
【０００８】
そこで、本発明は、上記のような問題点を鑑みてなされたものであり、液晶パネルが湾曲された液晶表示装置において、別の問題を可及的に生じることなく、表示ムラを抑制することが可能な技術を提供することを目的とする。
【課題を解決するための手段】
【０００９】
本発明に係る液晶表示装置は、第１基板と、前記第１基板と対向配置された第２基板と、前記第１及び第２基板によって挟持された液晶層とを備える、可撓性を有する液晶パネルと、予め独立状態で湾曲形状を保持するように加工された、前記液晶パネルの後面及び前面をそれぞれ挟み込む透明な第１及び第２湾曲保護板と、前記液晶パネルの前記後面側に配設された、偏光板を含む第１光学フィルムと、前記液晶パネルの前記前面側に配設された、偏光板を含む第２光学フィルムとを備える。そして、前記第１及び第２光学フィルムの少なくともいずれか一方は、前記液晶パネルに貼り付けられずに前記第１及び第２湾曲保護板のうち隣接する一方に貼り付けられている。
【発明の効果】
【００１０】
本発明によれば、第１光学フィルム及び第２光学フィルムの少なくともいずれか一方は、液晶パネルに貼り付けられずに第１及び第２湾曲保護板のうち隣接する一方に貼り付けられている。このような構成によれば、別の問題を可及的に生じることなく、液晶パネルが湾曲された液晶表示装置の表示ムラを抑制することができる。
【図面の簡単な説明】
【００１１】
【図１】実施の形態１に係る液晶表示装置の全体構成を示す断面図である。
【図２】実施の形態１に係るパネルユニットの構成を示す断面図である。
【図３】実施の形態１に係るパネルユニットの構成を示す分解図である。
【図４】実施の形態１に係る液晶パネルの構成を示す平面図である。
【図５】実施の形態１に係る液晶パネルの構成を示す断面図である。
【図６】実施の形態２に係るパネルユニットの構成を示す断面図である。
【図７】実施の形態２に係るパネルユニットの構成を示す分解図である。
【図８】実施の形態２に係る液晶表示装置の全体構成を示す断面図である。
【図９】実施の形態３に係るパネルユニットの構成を示す断面図である。
【図１０】実施の形態３に係るパネルユニットの構成を示す分解図である。
【図１１】実施の形態３に係る液晶表示装置の全体構成を示す断面図である。
【図１２】実施の形態４に係るパネルユニットの構成を示す断面図である。
【図１３】実施の形態４に係るパネルユニットの構成を示す分解図である。
【図１４】実施の形態４に係る液晶表示装置の全体構成を示す断面図である。
【発明を実施するための形態】
【００１２】
＜実施の形態１＞
はじめに、本発明の実施の形態１に係る液晶表示装置の全体構成について図面を参照しながら説明する。なお、図は模式的なものであり、示された構成要素の正確な大きさなどを反映するものではなく、例えば表示画素パターンや膜構成などの図示は省略されている。また、同一の符号を付したものは、同一またはこれに相当するものであり、このことは本明細書の発明の詳細な説明において共通することである。
【００１３】
まず、本実施の形態１に係る液晶表示装置の構成の概略について、全体構成から構成要素が小さくなる順に説明する。図１は、当該液晶表示装置の全体構成を示す断面図である。
【００１４】
本実施の形態１に係る液晶表示装置は、パネルユニット１と、バックライトユニット５１と、筐体５２とを備えて構成されている。
【００１５】
パネルユニット１は、画像などを表示するモジュール部分であり、断面視において湾曲形状を有している。ここでは、湾曲形状のパネルユニット１の凸面を、液晶表示装置の前面である（ここでは液晶表示装置の最前面であり、かつ画像などが表示される表示面である）とし、湾曲形状のパネルユニット１の凹面を、液晶表示装置の後面（背面）であるものとする。ただし、これに限ったものではなく、湾曲形状のパネルユニット１の凹面を、液晶表示装置の前面であるとし、湾曲形状のパネルユニット１の凸面を、液晶表示装置の後面であるものとしてもよい。
【００１６】
バックライトユニット５１は、パネルユニット１の後面に対向して設けられ、パネルユニット１に光を照射する光源である。
【００１７】
筐体５２は、パネルユニット１の最前面を覆わずにパネルユニット１及びバックライトユニット５１を収納する。
【００１８】
図２は、本実施の形態１に係るパネルユニット１の構成を示す断面図であり、図３は、当該パネルユニット１の分解図である。パネルユニット１は、可撓性を有する液晶パネル１１と、予め独立状態で湾曲形状を保持するように加工された透明な後面湾曲保護板１２（第１湾曲保護板）及び前面湾曲保護板１３（第２湾曲保護板）と、後面偏光板１４（第１光学フィルム）及び前面偏光板１５（第２光学フィルム）と、後面湾曲保護板１２及び前面湾曲保護板１３を固定するネジなどの固定部材１６とを備えて構成されている。
【００１９】
次に、本実施の形態１に係る液晶表示装置の構成の詳細について、液晶パネル１１、パネルユニット１、液晶表示装置の全体構成の順に説明する。
【００２０】
＜液晶パネル１１＞
ここでは、液晶パネル１１の各構成要素、動作及び製造方法について詳細に説明する。図４は、本実施の形態１に係る液晶パネル１１の構成を示す平面図であり、図５は、図４中の一点鎖線で示した切断箇所を矢印Ａ方向からみた断面図である。なお、以下において、液晶パネル１１の、液晶表示装置の前面及び後面に対応する面を、それぞれ、液晶パネル１１の前面及び後面として説明する。
【００２１】
液晶パネル１１は、アレイ基板２１（第１基板）と、アレイ基板２１と対向配置されたカラーフィルタ基板２２（第２基板）と、液晶からなる液晶層２３と、シール材２４（図４ではカラーフィルタ基板２２によって隠れるため破線で示される）と、端子２５と、ＦＦＣ（Flexible Flat Cable）２６と、制御基板２７とを備えて構成されている。
【００２２】
ただし、本明細書の発明の詳細な説明においては、特記する場合を除いて、液晶パネル１１は、アレイ基板２１、カラーフィルタ基板２２、液晶層２３及びシール材２４からなる部分を意味するものとする。なお、液晶パネル１１のうち当該部分以外の構成（端子２５、ＦＦＣ２６及び制御基板２７）の図示は、適宜省略される。
【００２３】
アレイ基板２１は、図示しないが、透明基板であるガラス基板と、液晶を配向させる配向膜と、配向膜の下部に設けられ液晶を駆動するための電圧を印加する画素電極と、画素電極との間に電界を生じさせて液晶を駆動する共通電極と、画素電極に電圧を供給するＴＦＴ（Thin Film Transistor）などのスイッチング素子と、スイッチング素子を覆う絶縁膜と、スイッチング素子に信号を供給する配線であるゲート配線及びソース配線とを含んでいる。なお、配向膜、画素電極、共通電極、スイッチング素子、絶縁膜、ゲート配線及びソース配線は、アレイ基板２１のガラス基板の一方の面のうち、画像などを表示する表示領域２９（図４では矩形状の領域）上に形成される。
【００２４】
アレイ基板２１の表示領域２９外には、スイッチング素子に供給すべき駆動信号などの信号を受け入れる端子２５などが形成されている。制御基板２７は、駆動信号を生成する駆動用ＩＣ（Integrated Circuit）などを装備しており、ＦＦＣ２６を介して端子２５と電気的に接続されている。
【００２５】
一方、カラーフィルタ基板２２は、図示しないが、透明基板であるガラス基板と、液晶を配向させる配向膜と、配向膜の下部に設けられるカラーフィルタ及び遮光層などとを含んでいる。なお、配向膜、カラーフィルタ及び遮光層は、カラーフィルタ基板２２のガラス基板の一方の面のうち、図４に示される表示領域２９上に形成される。
【００２６】
シール材２４は、例えば樹脂からなり、対向配置されたアレイ基板２１及びカラーフィルタ基板２２を貼り合わせる。図４に示されるように、シール材２４は、アレイ基板２１及びカラーフィルタ基板２２により形成される表示領域２９を囲うようなパターンに形成されている。
【００２７】
このシール材２４によって囲まれ、かつ、アレイ基板２１及びカラーフィルタ基板２２との間に形成される隙間には、液晶が注入されて液晶層２３が形成されている。すなわち、液晶層２３は、アレイ基板２１及びカラーフィルタ基板２２によって挟持されている。
【００２８】
なお、図示しないが、シール材２４のパターンとして、当該液晶を注入するための注入口が形成されており、液晶パネル１１の完成時には当該注入口が封止材によって封止される。また、図示しないが、アレイ基板２１及びカラーフィルタ基板２２は、両基板間の距離を一定に保持するためのギャップ材を介して貼り合わされている。ギャップ材としては、両方のガラス基板上に散布された粒状のギャップ材を用いてもよいし、一方のガラス基板上に樹脂をパターニングして形成された柱状のギャップ材を用いてもよい。
【００２９】
次に、液晶パネル１１の動作について説明する。制御基板２７から駆動信号などの電気信号が入力されると、スイッチング素子の制御に応じて画素電極及び共通電極に駆動電圧が加わり、駆動電圧に合わせて液晶の分子の配向方向ひいては偏光方向が制御される。そして、バックライトユニット５１から発せられた光が、後面偏光板１４、アレイ基板２１、液晶層２３及びカラーフィルタ基板２２を通過した後、前面偏光板１５にて透過または遮断される。そして、前面偏光板１５にて透過された光は、観察者側に向かう。このような光の透過及び遮断が、各画素において行われることにより、液晶表示装置の最前面のうち表示領域２９において、画像などが表示される。
【００３０】
なお、以上では、アレイ基板２１に共通電極及び画素電極が設けられ、液晶層２３において横方向に向く電界を両電極間に発生させる横電界方式の一つであるＩＰＳ（In Plane Switching）モードの液晶パネルを想定して説明したが、これは一例であり液晶パネルは他のモードであってもよい。例えば、液晶パネル１１の動作モードは、ＶＡ（Vertically Aligned）モード、ＴＮ（Twisted Nematic）モード、ＳＴＮ（Super Twisted Nematic）モード、または、強誘電性液晶モードなどであってもよい。また、駆動方法は、単純マトリックスまたはアクティブマトリックスなどであってもよい。さらに、上述の液晶パネル１１は、通常の透過型の液晶パネルであったが、これに限ったものではなく、反射型、または、両者を併せ持つ半透過型の液晶パネルであってもよい。
【００３１】
次に、液晶パネル１１の製造方法について説明する。アレイ基板２１及びカラーフィルタ基板２２の製造方法については一般的な方法を用いるため、簡単に説明する。アレイ基板２１は、ガラス基板の一方の面に、成膜、フォトリソグラフィー法によるパターニング、エッチングなどのパターン形成工程を繰り返し用いてスイッチング素子や画素電極、端子、トランスファ電極などを形成することによって製造される。同様に、カラーフィルタ基板２２は、ガラス基板の一方の面にカラーフィルタや画素電極などを形成することによって製造される。
【００３２】
次に、アレイ基板２１とカラーフィルタ基板２２とを貼り合わせるまでの工程について説明する。まず、基板洗浄工程において、画素電極が形成されているアレイ基板２１を洗浄する。次に、配向膜材料塗布工程において、アレイ基板２１の画素電極が形成された面に、例えば印刷法により配向膜の材料となるポリイミドからなる有機膜を塗布し、ホットプレートなどにより焼成処理し乾燥させる。また、カラーフィルタ基板２２についても、洗浄、有機膜の塗布、及び配向処理を行うことにより配向膜を形成する。続いて、シール材２４を形成するシール材塗布工程において、アレイ基板２１またはカラーフィルタ基板２２の一方の面にシール材となる樹脂（例えば、エポキシ系接着剤などの熱硬化型樹脂または紫外線硬化型樹脂など）の塗布処理を行う。
【００３３】
それから、アレイ基板２１及びカラーフィルタ基板２２を互いに対向するように配置した後、各々の基板に形成された画素がそれぞれ対応するように位置合わせを行いながら、貼り合わせを行う。以上のように貼り合わされたアレイ基板２１及びカラーフィルタ基板２２に対して、シール材２４の硬化処理が行われる。この工程は、例えばシール材の材質に合わせて熱を加えたり、紫外線を照射したりすることによって行われる。
【００３４】
続いて、これまでに形成された構造が可撓性を有するように（湾曲化が可能となるように）、アレイ基板２１及びカラーフィルタ基板２２の外側主面を削る薄型化研磨工程を行う。この工程は、例えば薬液を用いた化学研磨や、研磨材を用いて擦る物理研磨などによりガラス基板の主面を削ることにより行われる。本実施の形態１では、薬液を用いた化学研磨により、アレイ基板２１及びカラーフィルタ基板２２の厚さをいずれも０．２ｍｍとした。
【００３５】
次に、セル分断工程において、貼り合わせた基板を、個々の液晶パネル１１対応する個別セルに分断する。セル分断工程後の液晶注入工程にて、真空中でシール材２４の液晶注入口から、アレイ基板２１及びカラーフィルタ基板２２の間に液晶層２３となる液晶を注入する。さらに、封止工程において、例えば光硬化型樹脂を液晶注入口に塗布し、光を照射することにより液晶注入口の封止が行われる。続いて、制御基板実装工程においてＦＦＣ２６を介して制御基板２７をアレイ基板２１に実装する。
【００３６】
以上により、偏光板が貼付されていない液晶パネル１１が完成する。
【００３７】
＜パネルユニット１＞
まず、本実施の形態１に係るパネルユニット１について説明する前に、それと関連するパネルユニット（以下「関連パネルユニット」と記す）について説明する。関連パネルユニットでは、上述の液晶パネル１１の両面に偏光板を貼り付けてなる液晶パネル（以下「関連液晶パネル」と記す）を備えている。そして、関連液晶パネルが、保持部材に挟み込まれたり、嵌め込まれたりすることによって湾曲化されている。
【００３８】
このような関連パネルユニットでは、湾曲された偏光板を元の平板状に戻そうとする復元力が、アレイ基板２１及びカラーフィルタ基板２２に応力として印加される結果、関連液晶パネルに表示ムラが発生していた。また、関連パネルユニットでは、偏光板の分だけ関連液晶パネルの柔軟性（可撓性）が損なわれる（曲げ弾性率が高くなる）ことから、関連液晶パネルを湾曲させるのに比較的大きな力を要することになり、関連パネルユニットを組立てることが困難であった。これに対して、本実施の形態１に係るパネルユニット１では、以下で説明するように、これらの問題を解決することが可能となっている。
【００３９】
まず、図２及び図３を用いて、パネルユニット１の各構成要素について詳細に説明する。パネルユニット１は、上述した可撓性を有する液晶パネル１１と、後面湾曲保護板１２及び前面湾曲保護板１３と、後面偏光板１４及び前面偏光板１５と、固定部材１６とを備えて構成されている。
【００４０】
後面湾曲保護板１２及び前面湾曲保護板１３は、独立状態で湾曲形状を保てるように予め加工された、湾曲形状を有する透明な湾曲基板である。すなわち、後面湾曲保護板１２及び前面湾曲保護板１３は、外部からの力が印加されていなくても、湾曲形状を維持するように構成されている。なお、後面湾曲保護板１２及び前面湾曲保護板１３の材質には、例えば、アクリルが用いられる。
【００４１】
図２及び図３に示されるように、後面湾曲保護板１２及び前面湾曲保護板１３は、液晶パネル１１の後面及び前面をそれぞれ挟み込んでいる。すなわち、後面湾曲保護板１２は、液晶パネル１１の後面側に配設された湾曲保護板であり、前面湾曲保護板１３は、液晶パネル１１の前面側に配設された湾曲保護板である。
【００４２】
後面湾曲保護板１２及び前面湾曲保護板１３に挟み込まれた液晶パネル１１は湾曲されている。本実施の形態１では、長辺方向の長さが約２００ｍｍであり、短辺方向の長さが約１２０ｍｍである表示領域２９を有する長方形状の液晶パネル１１を、短辺方向からみて長辺方向の中央部分が前面湾曲保護板１３側に凸となるように、曲率半径４００ｍｍで湾曲されているものとする。ただし、これは一例であって、液晶パネル１１の表示領域２９は上記以外の大きさであってもよく、また、長辺方向からみて短辺方向の中央部分が前面湾曲保護板１３側に凸となるように湾曲されてもよく、また、曲率が一定でない放物線のような形状で湾曲されてもよい。なお、湾曲形状のパネルユニット１の凹面を表示面とする場合には、長辺方向または短辺方向の中央部分が前面側に凹となるように湾曲されることになる。
【００４３】
後面偏光板１４は、液晶パネル１１の後面側に配設された、偏光板を含む第１光学フィルムに対応し、前面偏光板１５は、液晶パネル１１の前面側に配設された、偏光板を含む第２光学フィルムに対応している。本実施の形態１では、液晶表示装置の表示面（最前面）となる前面偏光板１５に、ギラツキ防止（防眩）機能、及び、光の反射防止機能も有する偏光板を用いるものとする。
【００４４】
また、本実施の形態１では、図２及び図３に示されるように、後面偏光板１４及び前面偏光板１５はいずれも、液晶パネル１１に貼り付けられずに、後面湾曲保護板１２及び前面湾曲保護板１３のうち隣接する一方に貼り付けられている。ここでは、後面偏光板１４は、後面湾曲保護板１２に隣接していることから、後面湾曲保護板１２に貼り付けられており、前面偏光板１５は、前面湾曲保護板１３に隣接していることから、前面湾曲保護板１３に貼り付けられている。
【００４５】
また、後面偏光板１４及び前面偏光板１５の厚さは１００μｍ程度とし、薄型化したアレイ基板２１及びカラーフィルタ基板２２の厚さと同程度にしているものとする。この場合、後面偏光板１４及び前面偏光板１５の曲げ弾性率は、薄型化したアレイ基板２１及びカラーフィルタ基板２２と同程度となる。本実施の形態１に係る液晶表示装置では、曲げ弾性率が比較的大きい後面偏光板１４及び前面偏光板１５が液晶パネル１１に貼り付けられていないことから、液晶パネル１１の曲げ弾性率を、偏光板が貼り付けられた上述の関連液晶パネルの曲げ弾性率よりも低減する（柔軟性及び可撓性を向上させる）ことができる。
【００４６】
なお、図示しないが、パネルユニット１は、液晶パネル１１の前面と、前面湾曲保護板１３との界面に形成（充填）された、空気層よりも屈折率が大きい透明な媒体を備えている。この媒体には、例えば、ボンディング材（接着剤、粘着材、粘着シート等）が用いられる。
【００４７】
固定部材１６は、液晶パネル１１を湾曲させている後面湾曲保護板１２及び前面湾曲保護板１３を固定する。ここでは、固定部材１６は、例えばネジであるとして説明するが、これに限ったものではなく、例えば、熱等により変形しにくい接着剤などであってもよい。また、後面湾曲保護板１２及び前面湾曲保護板１３が、上述の粘着シートなどの媒体によって十分に固定することが可能であるのであれば、固定部材１６は必須ではない。
【００４８】
次に、パネルユニット１の製造方法（組立方法）について説明する。まず、後面偏光板１４及び前面偏光板１５を後面湾曲保護板１２及び前面湾曲保護板１３のそれぞれに貼り付ける。この貼付工程の際に、例えば、ローラーやフィルム貼付け装置などを用いれば、後面偏光板１４及び前面偏光板１５を気泡なく貼付することができる。
【００４９】
続いて、前面湾曲保護板１３に上述の媒体（ここでは粘着シート）を、ローラー装置などを用いて貼り付けた後、前面湾曲保護板１３の曲率よりも曲率半径が小さくなるように液晶パネル１１を湾曲形状に保持し、前面湾曲保護板１３の粘着シートと液晶パネル１１との貼り付け部分の両者を、気泡を噛み込まないように加圧しながら、貼り付けていく。上述したように、液晶パネル１１には偏光板が貼り付けられておらず、液晶パネル１１の柔軟性が向上しているため、この工程において、所望の曲率半径の形状に液晶パネル１１を、小さな力で保持することができる。これにより、気泡を逃がしながら液晶パネル１１を貼り付けていくことが容易になる。この結果、液晶パネル１１と前面湾曲保護板１３との界面における外光反射を低減することができ、視認性を高めることができる。
【００５０】
液晶パネル１１を前面湾曲保護板１３に貼り付けて湾曲させた後、液晶パネル１１を後面湾曲保護板１２及び前面湾曲保護板１３で挟み込む。その後、必要であれば固定部材１６によって後面湾曲保護板１２及び前面湾曲保護板１３を固定する。
【００５１】
以上により、パネルユニット１が完成する。なお、以上では、後面偏光板１４及び前面偏光板１５を貼り付ける工程は、液晶パネル１１を後面湾曲保護板１２及び前面湾曲保護板１３で挟み込んで固定する工程の前に行うものとして説明したが、これら工程の順序は逆であってもよい。
【００５２】
＜全体構成＞
ここでは、図１を用いて、液晶表示装置の全体構成について説明する。液晶表示装置は、上述したパネルユニット１と、バックライトユニット５１と、筐体５２とを備えて構成されている。
【００５３】
バックライトユニット５１は、後面湾曲保護板１２に関して液晶パネル１１と逆側に配設されている。
【００５４】
筐体５２は、パネルユニット１とバックライトユニット５１とをまとめる機能を有する、金属などからなる部材である。筐体５２の構造としては、前面湾曲保護板１３の前面のうち表示領域２９以外の領域（非表示領域）を覆って、パネルユニット１とバックライトユニット５１とを保持する構造であってもよい。しかし、上述のように構成されたパネルユニット１では、すでに後面湾曲保護板１２及び前面湾曲保護板１３が固定されているため、筐体５２は、前面湾曲保護板１３の前面まで覆う必要はない。
【００５５】
そこで、本実施の形態１では、筐体５２（フレーム）は、前面湾曲保護板１３の前面を覆わずに、バックライトユニット５１と、後面湾曲保護板１２及び前面湾曲保護板１３とを収納している。具体的には、筐体５２が有する側壁の上部は、前面湾曲保護板１３の側面と接着剤などにより固定されている。なお、図１に示されるように、前面偏光板１５が筐体５２の側壁上部まで延設された構成を製造するのであれば、筐体５２にバックライトユニット５１と、後面湾曲保護板１２及び前面湾曲保護板１３とを収納した後に、前面偏光板１５を貼り付ける工程を行えばよい。
【００５６】
＜効果＞
以上のように構成された本実施の形態１に係る液晶表示装置によれば、後面偏光板１４及び前面偏光板１５はいずれも、液晶パネル１１に貼り付けられずに、後面湾曲保護板１２及び前面湾曲保護板１３にそれぞれ貼り付けられている。このような構成によれば、後面偏光板１４及び前面偏光板１５が、後面湾曲保護板１２及び前面湾曲保護板１３によってそれぞれ湾曲形状に保持されるため、後面偏光板１４及び前面偏光板１５が元の平面に戻ろうとする復元力が、液晶パネル１１に応力として印加されることを抑制することができる。したがって、額縁部分を大きくすることなど別の問題を可及的に生じることなく、表示ムラを抑制できる。なお、実施の形態３，４で説明するように、表示ムラを十分に抑制することができる場合には、後面偏光板１４のみが、液晶パネル１１に貼り付けられずに後面湾曲保護板１２（隣接する一方）に貼り付けられてもよいし、前面偏光板１５のみが、液晶パネル１１に貼り付けられずに前面湾曲保護板１３（隣接する一方）に貼り付けられてもよい。
【００５７】
また、本実施の形態１では、液晶パネル１１の柔軟性が向上し、液晶パネル１１を小さな力で湾曲させることができるので、液晶表示装置を容易に組立てることができる。また、以上で説明したように、液晶パネル１１と前面湾曲保護板１３との間の界面を、粘着シートなどの媒体で埋めて前面湾曲保護板１３に液晶パネル１１を貼り付ける場合には、液晶パネル１１の柔軟性の向上に伴い、気泡なく貼り付ける作業が容易となる。したがって、表示品位を高めることが期待できる。
【００５８】
また、本実施の形態１では、液晶パネル１１の前面と、前面湾曲保護板１３との界面に形成された、空気層よりも屈折率が大きい透明な媒体を備えている。これにより、液晶パネル１１と前面湾曲保護板１３との界面における外光反射を低減することができ、液晶表示装置の視認性を高めることができる。
【００５９】
また、本実施の形態１では、前面偏光板１５は、前面湾曲保護板１３の液晶パネル１１と逆側の面に貼り付けられている。これにより、前面湾曲保護板１３の割れを抑制する効果が得られる上、万が一、前面湾曲保護板１３が割れることがあったとしても、その破片の飛散を抑制する効果が得られる。
【００６０】
また、以上で説明した本実施の形態１のように、前面偏光板１５に、防眩機能及び反射防止機能も有する偏光板を用いた場合には、前面湾曲保護板１３の前面に処理を行うことや、防眩機能及び反射防止機能を持つフィルムを別に用意して前面湾曲保護板１３に貼り付けるなどの追加処理を行わなくて済む。この結果、コストを低減することが期待できるとともに、液晶表示装置の表示面での外光反射を抑制した視認性の高い液晶表示装置の実現が期待できる。
【００６１】
また、本実施の形態１では、筐体５２は、前面湾曲保護板１３の前面を覆わずに、バックライトユニット５１と、後面湾曲保護板１２及び前面湾曲保護板１３とを収納している。このような構成によれば、液晶表示装置の表示面（最前面）の表示領域２９と非表示領域との間に筐体５２の一部（フレームの一部）による段差がなくなる。これにより、シームレス化が可能となることから、液晶表示装置周辺の部材のデザインに溶け込んだ構成、例えば画像が表示された時点で初めてディスプレイの存在を認識させるような、デザイン性の高い構成を実現することができる。
【００６２】
また、本実施の形態１では、アレイ基板２１及びカラーフィルタ基板２２は、ガラス基板を含んで構成される。このような構成によれば、アレイ基板２１及びカラーフィルタ基板２２の電極やカラーフィルタ等の構成要素を形成する工程などにおいて熱が加わっても、ガラス基板の変形が生じ難いことから、当該構成要素を精度よく形成することができる。この結果、表示品位の高い液晶表示装置を実現することができる。
【００６３】
なお、アレイ基板２１及びカラーフィルタ基板２２は、ガラス基板に限ったものではなく、例えば樹脂基板を含んで構成されてもよい。このような構成によれば、液晶パネル１１の製造の際、液晶パネル１１を湾曲させる際、または、液晶表示装置を使用している際などに、液晶パネル１１が外部から局所的に強い衝撃を受けたとしても、液晶パネル１１が破損しにくくなる。この結果、歩留りを高めることができるとともに、信頼性の高い液晶表示装置を実現することができる。
【００６４】
また、本実施の形態１では、後面湾曲保護板１２及び前面湾曲保護板１３の材質はアクリルやその他の樹脂としている。このような構成によれば、後面湾曲保護板１２及び前面湾曲保護板１３が外部から局所的に強い衝撃を受けたとしても、液晶パネル１１が破損しにくくなる。この結果、歩留りを高めることができるとともに、信頼性の高い液晶表示装置を実現することができる。
【００６５】
なお、後面湾曲保護板１２及び前面湾曲保護板１３の材質は樹脂に限ったものではなく、例えばガラスであってもよい。このような構成によれば、複屈折が小さくなるため、コントラストを高めることができる。この結果、表示品位の高い液晶表示装置を実現することができる。
【００６６】
上述した実施の形態はすべての点で例示であって制限的なものではないと解されるべきである。本発明の範囲は、上述した実施形態の範囲ではなく、特許請求の範囲によって示された意味及び範囲内と、特許請求の範囲と均等の意味及び範囲内での全ての変更を含むものである。
【００６７】
＜実施の形態１の変形例＞
以上の説明では、媒体（粘着シートなど）を用いたため、後面湾曲保護板１２及び前面湾曲保護板１３で挟み込む前から、液晶パネル１１は湾曲されていた。しかしこれに限ったものではなく、液晶パネル１１を後面湾曲保護板１２及び前面湾曲保護板１３に当接させて挟み込みながら、液晶パネル１１を湾曲させてもよい。
【００６８】
また、以上では、第２光学フィルムは、前面偏光板１５のみであるものとして説明したが、これに限ったものではない。例えば、第２光学フィルムは、前面偏光板１５と、他の種類の光学フィルム（例えば、防眩機能を有するフィルム、反射防止機能を有するフィルム、及び、広視野角位相差フィルムなど）とを含むものであってもよい。また、他の種類の光学フィルムのうち剛性が比較的高いものを、前面偏光板１５とともに貼り付け、それ以外のものを液晶パネル１１に貼り付けた構成であってもよい。なお、第１光学フィルムについても同様の変形例を適用することができる。
【００６９】
＜実施の形態２＞
実施の形態１では、後面偏光板１４が、後面湾曲保護板１２の液晶パネル１１と逆側の面に貼り付けられ、前面偏光板１５が、前面湾曲保護板１３の液晶パネル１１と逆側の面に貼り付けられた構成であった。これに対し、本発明の実施の形態２では、後面偏光板１４が、後面湾曲保護板１２の液晶パネル１１側の面に貼り付けられ、前面偏光板１５が、前面湾曲保護板１３の液晶パネル１１側の面に貼り付けられている。ただし、本実施の形態２においても、実施の形態１と同様に、後面偏光板１４及び前面偏光板１５は、液晶パネル１１には貼り付けられていないものとする。
【００７０】
図６は、本実施の形態２に係るパネルユニット１の構成を示す断面図であり、図７は、当該パネルユニット１の分解図である。なお、この構成では、後面偏光板１４及び前面偏光板１５を貼り付ける工程が、液晶パネル１１を後面湾曲保護板１２及び前面湾曲保護板１３で挟み込んで固定する工程よりも前に行われる。
【００７１】
図８は、本実施の形態２に係る液晶表示装置の全体構成を示す断面図である。筐体５２は、実施の形態１と同様に、前面湾曲保護板１３の前面を覆わずに、バックライトユニット５１と、後面湾曲保護板１２及び前面湾曲保護板１３とを収納している。なお、図８では、筐体５２の側壁の上部は、前面湾曲保護板１３の端部の下面と接着剤などによって固定されているが、これに限ったものではなく、実施の形態１の固定形態（図１）が適用されてもよい。また、実施の形態１において、図８に示される固定形態が適用されてもよい。
【００７２】
＜効果＞
以上のような本実施の形態２に係る液晶表示装置では、実施の形態１と同様、後面偏光板１４及び前面偏光板１５はいずれも、液晶パネル１１に貼り付けられずに、後面湾曲保護板１２及び前面湾曲保護板１３にそれぞれ貼り付けられている。したがって、実施の形態１と同様に、額縁部分を大きくすることなく、表示ムラを抑制することができ、かつ、液晶パネル１１の柔軟性を向上させることができる。
【００７３】
また、本実施の形態２では、後面偏光板１４及び前面偏光板１５は、後面湾曲保護板１２及び前面湾曲保護板１３の液晶パネル１１側の面に貼り付けられている。このような構成によれば、後面偏光板１４と液晶パネル１１との間、及び、前面偏光板１５と、液晶パネル１１との間に、それぞれ後面湾曲保護板１２及び前面湾曲保護板１３が存在しないため、後面湾曲保護板１２及び前面湾曲保護板１３の複屈折によるコントラストの低下が抑制される。したがって、表示品位の高い液晶表示装置を実現することができる。
【００７４】
なお、本実施の形態２において、後面偏光板１４及び前面偏光板１５を後面湾曲保護板１２及び前面湾曲保護板１３にそれぞれ貼り付けた後、実施の形態１と同様に、液晶パネル１１の前面と前面偏光板１５との界面に、空気層よりも屈折率が大きい媒体を埋めてもよい。この場合には、実施の形態１と同様に、前面湾曲保護板１３の媒体（粘着シート）と液晶パネル１１との貼り付け部分との間に気泡が生じるのを抑制することができる。したがって、表示品位を高めることが期待できる。
【００７５】
＜実施の形態３＞
実施の形態１，２では、後面偏光板１４及び前面偏光板１５が、後面湾曲保護板１２及び前面湾曲保護板１３にそれぞれ貼り付けられた構成であった。しかし、後面偏光板１４及び前面偏光板１５のいずれか一方だけを湾曲保護板に貼り付けるだけでも、表示ムラを十分に抑制することができる。そこで、本発明の実施の形態３では、前面偏光板１５が前面湾曲保護板１３に貼り付けられている点は実施の形態１，２と同様であるが、後面偏光板１４の代わりに、液晶パネル１１の後面（アレイ基板２１の面）に貼り付けられた偏光板３０（第３光学フィルムに対応）を備えている点が実施の形態１，２と異なる。
【００７６】
図９は、本実施の形態３に係るパネルユニット１の構成を示す断面図であり、図１０は、当該パネルユニット１の分解図である。
【００７７】
例えば、広視野角偏光板を備えた液晶パネルのように、液晶パネル１１の前面に広視野角位相差フィルムが積層される場合などにおいて、第２光学フィルム（前面偏光板１５、及び、それとともに形成すべき他の種類の光学フィルム）の合計の厚さが、第１光学フィルム（後面偏光板１４、及び、それとともに形成すべき他の種類の光学フィルム）よりも厚くなり、剛性が比較的高くなることがある。このような場合に、液晶パネル１１の柔軟性を維持するために、第１及び第２光学フィルムを第１及び第２湾曲保護板にそれぞれ貼り付けてもよいが、第２光学フィルム（前面偏光板１５、及び、それとともに形成すべき他の種類の光学フィルム）が、前面湾曲保護板１３に貼り付けられ、第１光学フィルムと同等の第３光学フィルム（偏光板３０、及び、それとともに形成すべき他の種類の光学フィルム）を液晶パネル１１に貼り付けてもよく、この場合にも表示ムラが抑制される。
【００７８】
次に、本実施の形態３に係る液晶表示装置の製造方法について説明する。液晶パネル１１の注入口封止工程まで、実施の形態１と同様の工程を行う。そして、注入口封止工程後に、液晶パネル１１の後面（アレイ基板２１の面）にのみ、ローラーなどを用いて偏光板３０を貼り付ける工程を行い、続いて、制御基板実装工程において制御基板２７を実装する。その後、偏光板３０が貼り付けられた液晶パネル１１を、後面湾曲保護板１２及び前面湾曲保護板１３で挟み込んで固定する。
【００７９】
その後、後面偏光板１４を後面湾曲保護板１２に貼り付けずに、前面偏光板１５を前面湾曲保護板１３に貼り付ける。なお、図９及び図１０に示されるように、本実施の形態３では、前面偏光板１５を前面湾曲保護板１３の液晶パネル１１と逆側の面に貼り付ける構成であることから、前面偏光板１５を貼り付ける工程は、液晶パネル１１を後面湾曲保護板１２及び前面湾曲保護板１３で挟み込んで固定する工程の前に行われてもよく、後に行われてもよい。
【００８０】
図１１は、本実施の形態３に係る液晶表示装置の全体構成を示す断面図である。筐体５２は、実施の形態１と同様に、前面湾曲保護板１３の前面を覆わずに、バックライトユニット５１と、後面湾曲保護板１２及び前面湾曲保護板１３とを収納している。図１１では、筐体５２の側壁の上部は、後面湾曲保護板１２の端部の下面と接着剤などによって固定されているが、これに限ったものではなく、実施の形態１，２の固定形態（図１，図８）が適用されてもよい。また、実施の形態１，２において、図１１に示される固定形態が適用されてもよい。
【００８１】
＜効果＞
以上のような本実施の形態３に係る液晶表示装置では、液晶パネル１１の一方面に、偏光板３０が貼り付けられている。これにより、液晶パネル１１の製造工程終了から、液晶パネル１１を後面湾曲保護板１２及び前面湾曲保護板１３で挟み込んで固定するまでの間などにおいて、液晶パネル１１が破損しにくくなる。この結果、歩留りを高めることができるとともに、信頼性の高い液晶表示装置を実現することができる。
【００８２】
なお、実施の形態１と同様に、前面偏光板１５に、防眩機能及び反射防止機能も有する偏光板を用いた場合には、コストを低減することが期待できるとともに、液晶表示装置の最前面での外光反射を抑制した視認性の高い液晶表示装置の実現が期待できる。
【００８３】
また、以上では、前面偏光板１５が、前面湾曲保護板１３の液晶パネル１１と逆側の面に貼り付けられた構成について説明したが、これに限ったものではなく、前面湾曲保護板１３の液晶パネル１１側の面に貼り付けられた構成であってもよい。なお、この構成の製造方法では、前面偏光板１５を貼り付ける工程が、液晶パネル１１を後面湾曲保護板１２及び前面湾曲保護板１３で挟み込んで固定する工程よりも前に行われる。このような構成によれば、実施の形態２と同様に、前面偏光板１５と液晶パネル１１との間に、前面湾曲保護板１３が存在しないため、前面湾曲保護板１３の複屈折によるコントラストの低下が抑制される。したがって、表示品位の高い液晶表示装置を実現することができる。
【００８４】
＜実施の形態４＞
本発明の実施の形態４では、後面偏光板１４が後面湾曲保護板１２に貼り付けられている点は実施の形態１，２と同様であるが、前面偏光板１５の代わりに、液晶パネル１１の前面（カラーフィルタ基板２２の面）に貼り付けられた偏光板３０（第３光学フィルムに対応）を備えている点が実施の形態１，２と異なる。図１２は、本実施の形態４に係るパネルユニット１の構成を示す断面図であり、図１３は、当該パネルユニット１の分解図である。
【００８５】
本実施の形態４に係る液晶表示装置の製造方法では、液晶パネル１１の注入口封止工程まで、実施の形態１と同様の工程を行う。そして、注入口封止工程後に、液晶パネル１１の前面（カラーフィルタ基板２２の面）にのみ、ローラーなどを用いて偏光板３０を貼り付ける工程を行い、続いて、制御基板実装工程において制御基板２７を実装する。その後、前面偏光板１５を前面湾曲保護板１３に貼り付けずに、後面偏光板１４を後面湾曲保護板１２に貼り付ける。そして、偏光板３０が貼り付けられた液晶パネル１１を、後面湾曲保護板１２及び前面湾曲保護板１３で挟み込んで固定する。
【００８６】
図１４は、本実施の形態４に係る液晶表示装置の全体構成を示す断面図である。筐体５２は、これまでの実施の形態と異なり、前面湾曲保護板１３の前面を覆って、バックライトユニット５１と、後面湾曲保護板１２及び前面湾曲保護板１３とを収納している。しかし、これに限ったものではなく、シームレス化を実現したい場合には、実施の形態１〜３の固定形態（図１，図８，図１１）が適用されてもよい。また、実施の形態１〜３において、シームレス化が不要である場合には、図１４に示される固定形態が適用されてもよい。
【００８７】
＜効果＞
以上のような本実施の形態４に係る液晶表示装置では、液晶パネル１１の一方面に、偏光板３０が貼り付けられている。したがって、実施の形態３と同様に、歩留りを高めることができるとともに、信頼性の高い液晶表示装置を実現することができる。
【００８８】
なお、図１２〜図１４に示される構成では、後面偏光板１４が、後面湾曲保護板１２の液晶パネル１１側の面に貼り付けられている。このような構成によれば、実施の形態２と同様に、後面偏光板１４と液晶パネル１１との間に、後面湾曲保護板１２が存在しないため、後面湾曲保護板１２の複屈折によるコントラストの低下が抑制される。したがって、表示品位の高い液晶表示装置を実現することができる。
【００８９】
ただし、図１２〜図１４に示される構成に限ったものではなく、後面湾曲保護板１２の液晶パネル１１と逆側の面に貼り付けられた構成であってもよい。なお、この構成の製造方法では、後面偏光板１４を後面湾曲保護板１２に貼り付ける工程は、液晶パネル１１を後面湾曲保護板１２及び前面湾曲保護板１３で挟み込んで固定する工程よりも前に行われてもよく、後に行われてもよい。
【００９０】
なお、上記実施の形態のうち、実施の形態１，２，３，４は部分的にそれぞれ組み合せてもよい。すなわち、本発明は、その発明の範囲内において、各実施の形態を自由に組み合わせたり、各実施の形態を適宜、変形、省略したりすることが可能である。
【符号の説明】
【００９１】
１１  液晶パネル、１２  後面湾曲保護板、１３  前面湾曲保護板、１４  後面偏光板、１５  前面偏光板、２１  アレイ基板、２２  カラーフィルタ基板、２３  液晶層、３０  偏光板、５１  バックライトユニット、５２  筐体。
【図１】
2015007699.tif 000003
【図２】
2015007699.tif 000004
【図３】
2015007699.tif 000005
【図４】
2015007699.tif 000006
【図５】
2015007699.tif 000007
【図６】
2015007699.tif 000008
【図７】
2015007699.tif 000009
【図８】
2015007699.tif 000010
【図９】
2015007699.tif 000011
【図１０】
2015007699.tif 000012
【図１１】
2015007699.tif 000013
【図１２】
2015007699.tif 000014
【図１３】
2015007699.tif 000015
【図１４】
2015007699.tif 000016